(57)【要約】【課題】所望の演出効果を確実に実現可能な演出システムを提供する。【解決手段】演出制御機と、磁界送信機と、複数の携帯型演出器とを備える演出システムである。演出制御機は、演出制御用電波を送信する電波送信部を有し、磁界送信機は、誘導磁界を送信する磁界送信部を有し、複数の携帯型演出器はそれぞれ、前記演出制御用電波を受信する電波受信部と、前記誘導磁界を検知する磁界検知部と、演出を発生する演出発生部と、制御部とを有し、この制御部は、磁界検知部による誘導磁界検知の有無により、演出発生部による演出発生のパターンを変化させる。【選択図】図１
2019220396.tif 000002
【特許請求の範囲】
【請求項１】
演出制御機と、磁界送信機と、複数の携帯型演出器とを備える演出システムであって、
前記演出制御機は、演出制御用電波を送信する電波送信部を有し、
前記磁界送信機は、誘導磁界を送信する磁界送信部を有し、
前記複数の携帯型演出器はそれぞれ、前記演出制御用電波を受信する電波受信部と、前記誘導磁界を検知する磁界検知部と、演出を発生する演出発生部と、制御部とを有し、
前記制御部は、前記磁界検知部による誘導磁界検知の有無により、前記演出発生部による演出発生のパターンを変化させる、演出システム。
【請求項２】
前記制御部は、前記磁界検知部により検知した誘導磁界の強度レベルに応じて、前記演出発生部による演出発生のパターンを変化させる、請求項１に記載の演出システム。
【請求項３】
前記磁界送信機を複数備え、前記複数の磁界送信機はそれぞれＩＤを有し、前記磁界送信部は自己のＩＤ情報を含む誘導磁界を送信し、
前記制御部は、前記磁界検知部が検知した前記ＩＤ情報に応じて、前記演出発生部による演出発生のパターンを変化させる、請求項１又は２に記載の演出システム。
【請求項４】
前記複数の携帯型演出器はそれぞれＩＤを有し、前記制御部は、自己のＩＤに応じて、前記演出発生部による演出発生のパターンを変化させる、請求項１から３のいずれかに記載の演出システム。
【請求項５】
前記磁界送信機は携帯型である、請求項１から４のいずれかに記載の演出システム。
【発明の詳細な説明】
【技術分野】
【０００１】
本発明は、コンサート会場等において所望の演出効果を実現する演出システムに関する。
【背景技術】
【０００２】
従来、かかる演出システムとして、特許文献１に開示された「発光システム」がある。この発光システムは赤外線信号を利用したもので、具体的には赤外線信号の照射範囲が広い広域タイプと照射範囲が狭いスポットタイプとの２種の発光指示装置を利用することで、様々な演出動作を行うことができるようにしたものである。
【０００３】
しかし、赤外線信号は、会場内の観客や各種機器によって容易に遮られることから、所望の演出効果を実現できないことがある。また、赤外線信号は太陽光に含まれる赤外線によっても遮られるから、昼間の屋外会場では赤外線信号は利用できない。
【先行技術文献】
【特許文献】
【０００４】
【特許文献１】特許第５４３５９６号公報
【発明の概要】
【発明が解決しようとする課題】
【０００５】
本発明が解決しようとする課題は、所望の演出効果を確実に実現可能な演出システムを提供することにある。
【課題を解決するための手段】
【０００６】
本発明によれば、次の（１）から（５）の演出システムが提供される。
（１）
演出制御機と、磁界送信機と、複数の携帯型演出器とを備える演出システムであって、
前記演出制御機は、演出制御用電波を送信する電波送信部を有し、
前記磁界送信機は、誘導磁界を送信する磁界送信部を有し、
前記複数の携帯型演出器はそれぞれ、前記演出制御用電波を受信する電波受信部と、前記誘導磁界を検知する磁界検知部と、演出を発生する演出発生部と、制御部とを有し、
前記制御部は、前記磁界検知部による誘導磁界検知の有無により、前記演出発生部による演出発生のパターンを変化させる、演出システム。
（２）
前記制御部は、前記磁界検知部により検知した誘導磁界の強度レベルに応じて、前記演出発生部による演出発生のパターンを変化させる、前記（１）に記載の演出システム。
（３）
前記磁界送信機を複数備え、前記複数の磁界送信機はそれぞれＩＤを有し、前記磁界送信部は自己のＩＤ情報を含む誘導磁界を送信し、
前記制御部は、前記磁界検知部が検知した前記ＩＤ情報に応じて、前記演出発生部による演出発生のパターンを変化させる、前記（１）又は前記（２）に記載の演出システム。
（４）
前記複数の携帯型演出器はそれぞれＩＤを有し、前記制御部は、自己のＩＤに応じて、前記演出発生部による演出発生のパターンを変化させる、前記（１）から前記（３）のいずれかに記載の演出システム。
（５）
前記磁界送信機は携帯型である、前記（１）から前記（４）のいずれかに記載の演出システム。
【発明の効果】
【０００７】
本発明（前記（１）に記載の発明）によれば、電波（演出制御用電波）と誘導磁界との組合せにより演出発生のパターンを変化させる。電波及び誘導磁界は、前述した赤外線のように会場内の観客や各種機器によって容易に遮られることはなく、太陽光に含まれる赤外線によって遮られることもない。しかも、誘導磁界の到達範囲は数ｍ程度であるのに対し、電波の到達範囲は数十〜数百ｍ程度と広いため、電波によって例えば会場全体の演出発生のパターンを制御しつつ、誘導磁界によってスポット的に演出発生のパターンを変化させることができる。これにより、所望の演出効果を確実に実現でき、演出性が向上する。
【０００８】
前記（２）に記載の発明によれば、誘導磁界の強度レベルに応じて演出発生のパターンを変化させるので、演出発生のパターンを多様に変化させることができ、演出の多様性が向上する。
【０００９】
前記（３）に記載の発明によれば、複数の磁界送信機のＩＤ情報に応じて演出発生のパターンを変化させるので、演出発生のパターンを多様に変化させることができ、演出の多様性及び演出性が向上する。
【００１０】
前記（４）に記載の発明によれば、携帯型演出器のＩＤに応じて演出発生のパターンを変化させるので、演出発生のパターンを多様に変化させることができ、演出の多様性及び演出性が向上する。
【００１１】
前記（５）に記載の発明によれば、磁界送信機は携帯型であるので、その磁界送信機を例えば歌手などの演者に携帯させることで、磁界送信機が演者と共に移動するので、演出の多様性及び演出性が向上する。
【図面の簡単な説明】
【００１２】
【図１】本発明の一実施形態である演出システムのブロック図。
【図２】図１の演出システムにおいて演出発生のパターンを変化させるエリアのイメージ図。
【図３】図１の演出システムにおける携帯型演出器の動作フロー図。
【図４】磁界送信機が２個ある場合において演出発生のパターンを変化させるエリアのイメージ図。
【発明を実施するための形態】
【００１３】
図１に、本発明の一実施形態である演出システムをブロック図にて示している。
この演出システムは、演出制御機と、磁界送信機と、複数の携帯型演出器とを備えている。なお、図１には携帯型演出器を１個のみ示しているが、実際には複数の携帯型演出器がある。そして、これら複数の携帯型演出器にはそれぞれ、複数のＩＤ（例えばＩＤ＝１〜１０）から選択された一のＩＤ（例えばＩＤ＝１）が付されている。
【００１４】
演出制御機は、演出制御用電波を送信する電波送信部を有すると共に、この電波送信部を制御する制御部と電源部とを有する。
磁界送信機は、誘導磁界を送信する磁界送信部を有すると共に、この磁界送信部を制御する制御部と電源部とを有する。
複数の携帯型演出器はそれぞれ、演出制御機から送信される演出制御用電波を受信する電波受信部と、磁界送信機から送信される誘導磁界を検知する磁界検知部と、演出を発生する演出発生部と、制御部と、電源部とを有する。この実施形態において磁界検知部は、誘導磁界検知の有無だけでなく、その誘導磁界の強度レベルも検知することができる。また、この実施形態において演出発生部は、赤、緑、青のＬＥＤを有する発光部としている。ただし、演出発生部は発光部には限定されず、音又は振動を発生するものとすることができ、光や音や振動を組み合わせて発生するものとすることもできる。
【００１５】
この実施形態において、携帯型演出器の制御部（以下「演出器制御部」という。）は、磁界検知部により検知した誘導磁界の強度レベルに応じて、演出発生部（発光部）による演出発生のパターン（発光パターン）を変化させる。図２に、この発光パターンを変化させるエリアを概念的に示している。同図において、エリアＡは、図示しない演出制御機から送信される演出制御用電波が到達するエリア（会場全体を想定）であり、このエリアＡ内に、スポット的にエリアＢ，Ｃが存在している。すなわち、エリアＢは磁界送信機の周囲に存在する誘導磁界の強度レベルの高いエリアであり、エリアＣはエリアＢの周囲に存在する誘導磁界の強度レベルの低いエリアである。そしてエリアＡは、演出制御用電波は到達するが、誘導磁界は検知されないエリアである。
【００１６】
演出器制御部は、磁界検知部が検知する誘導磁界の強度レベルにより、その携帯型演出器がエリアＡ〜Ｃのうち、いずれのエリアに存在しているかを知ることができる。そして、演出器制御部はエリアＡ〜Ｃ毎に発光パターンを変化させる制御を行う。これにより、演出性が向上する。
【００１７】
以下、携帯型演出器の動作について図３の携帯型演出器の動作フローを参照しつつ具体的に説明する
【００１８】
携帯型演出器の電源が投入されると、演出器制御部は、まず電波受信部が演出制御用電波を受信しているか否かを確認する。演出制御用電波を受信していなければ、その携帯型演出器は制御の対象外であり、発光切替スイッチ（図１参照）の制御に従うことになる。
【００１９】
演出制御用電波を受信している場合、演出器制御部は自己のＩＤ（ｉ）（この実施形態ではｉ＝１〜１０）を確認すると共に、磁界検知部が検知している誘導磁界の強度レベルを確認する。この実施形態において強度レベルは、「強度大」、「強度小」及び「未検知」の３段階である。すなわち、強度レベルが「強度大」の場合、その携帯型演出器はエリアＢ内に存在し、強度レベルが「強度小」の場合、その携帯型演出器はエリアＣ内に存在し、強度レベルが「未検知」の場合、その携帯型演出器はエリアＡ内に存在するということである。
そして演出器制御部は、自己のＩＤ（ｉ）と３段階の強度レベルとに応じて、演出発生部（発光部）による演出発生のパターン（発光パターン）を変化させる。表１に、この実施形態における発光パターンを示している。
【００２０】
【表１】
2019220396.tif 000003
【００２１】
このようにこの実施形態では、電波（演出制御用電波）と誘導磁界との組合せにより演出発生のパターンを変化させる。前述のとおり、電波及び誘導磁界は、赤外線のように会場内の観客や各種機器によって容易に遮られることはなく、太陽光に含まれる赤外線によって遮られることもない。しかも、誘導磁界の到達範囲は数ｍ程度であるのに対し、電波の到達範囲は数十〜数百ｍ程度と広いため、電波によって例えば会場全体の演出発生のパターンを制御しつつ、誘導磁界によってスポット的に演出発生のパターンを変化させることができる。これにより、所望の演出効果を確実に実現でき、演出性が向上する。
【００２２】
更にこの実施形態では、自己のＩＤ及び誘導磁界の強度レベルに応じて、演出発生のパターンを変化させるので、演出発生のパターンを多様に変化させることができ、演出の多様性が向上する。なお、この実施形態において誘導磁界の強度レベルは、「強度大」、「強度小」及び「未検知」の３段階としたが、例えば、「強度大」、「強度中」、「強度小」及び「未検知」の４段階、更に４段階以上とすることもできる。一方で、誘導磁界検知の有無により、演出発生のパターンを変化させることもできる。また、携帯型演出器にはＩＤを付さず、誘導磁界検知の有無のみにより、演出発生のパターンを変化させることもできる。
【００２３】
またこの実施形態において磁界送信機は携帯型であるので、その磁界送信機を例えば歌手などの演者に携帯させることで、磁界送信機が演者と共に移動するので、演出の多様性及び演出性が向上する。
【００２４】
ここで、この実施形態は１個の磁界送信機を備えるものであったが、複数の磁界送信機を備えていてもよい。複数の磁界送信機を備える場合、各磁界送信機はそれぞれＩＤを有し、磁界送信部は自己のＩＤ情報を含む誘導磁界を送信する。そして演出器制御部は、磁界検知部が検知した前記ＩＤ情報及び誘導磁界の強度レベルに応じて、演出発生部による演出発生のパターンを変化させることができる。
【００２５】
図４には、磁界送信機が２個ある場合において演出発生のパターンを変化させるエリアを概念的に示している。磁界送信機１の周りに図２と同様に誘導磁界の強度レベルの高いエリアＢと強度レベルの低いエリアＣがある。これに加えて、磁界送信機２の周りに誘導磁界の強度レベルの高いエリアＤと強度レベルの低いエリアＥがある。そして、演出器制御部はエリアＡ〜Ｅ毎に発光パターンを変化させる制御を行う。これにより、演出発生のパターンを多様に変化させることができ、演出の多様性が向上する。
【図１】
2019220396.tif 000004
【図２】
2019220396.tif 000005
【図３】
2019220396.tif 000006
【図４】
2019220396.tif 000007